(57)【要約】  車両の状態を判別する車両状態判別部（１）と、車両状態判別部（１）により判別された車両の状態を示す情報を表示するための表示データを出力する表示データ出力部（７）と、車両状態判別部（１）により判別された車両の状態から情報の表示時間を決定し、その表示時間中、表示データ出力部（７）から出力された表示データにしたがって車両の外部に向けて情報を表示する情報表示部（１０）とを備え、情報表示部（１０）が、その表示時間にしたがって情報の表示方法を切り換えるように構成する。これにより、情報の伝達度を高めることができる。
2017138148.tif 000002
【特許請求の範囲】
【請求項１】
車両の状態を判別する車両状態判別部と、
前記車両状態判別部により判別された車両の状態を示す情報を表示するための表示データを出力する表示データ出力部と、
前記車両状態判別部により判別された車両の状態から前記情報の表示時間を決定し、前記表示時間中、前記表示データ出力部から出力された表示データにしたがって車両の外部に向けて情報を表示する情報表示部とを備え、
前記情報表示部は、前記表示時間にしたがって前記情報の表示方法を切り換えることを特徴とする情報表示装置。
【請求項２】
前記情報の提示相手を判別する提示相手判別部を備え、
前記情報表示部は、前記車両状態判別部により判別された車両の状態と、前記提示相手判別部により判別された提示相手とから、前記情報の表示時間を決定することを特徴とする請求項１記載の情報表示装置。
【請求項３】
自車両と前記情報の提示相手との相対状態を検出する相対状態検出部を備え、
前記情報表示部は、前記相対状態検出部により検出された相対状態を用いて、前記表示時間を補正することを特徴とする請求項１記載の情報表示装置。
【請求項４】
前記車両状態判別部は、前記車両の状態として、自車両と前記情報の提示相手との相対状態を判別することを特徴とする請求項１記載の情報表示装置。
【請求項５】
前記情報表示部は、前記表示データ出力部から出力された表示データにしたがって光を前記車両の外部の投射面に照射することで、前記車両の状態を示す情報を前記投射面に表示する光照射部を有しており、
前記光照射部は、前記表示時間にしたがって前記投射面を切り換えることを特徴とする請求項１記載の情報表示装置。
【請求項６】
前記情報表示部は、前記表示データ出力部から出力された表示データにしたがって光を前記車両の外部の投射面に照射することで、前記車両の状態を示す情報を前記投射面に表示する光照射部を有しており、
前記光照射部は、前記表示時間にしたがって前記投射面に照射する光の種類を変更することを特徴とする請求項１記載の情報表示装置。
【請求項７】
前記車両の周辺の状況を監視し、前記状況の監視結果にしたがって前記情報表示部における情報の表示を制御する周辺状況監視部を備えたことを特徴とする請求項１記載の情報表示装置。
【請求項８】
前記車両の状態にしたがって前記表示データ出力部から出力された表示データを加工する表示データ加工部を備え、
前記情報表示部は、前記表示データ加工部により加工された表示データにしたがって車両の外部に向けて情報を表示することを特徴とする請求項１記載の情報表示装置。
【請求項９】
車両状態判別部が、車両の状態を判別し、
表示データ出力部が、前記車両状態判別部により判別された車両の状態を示す情報を表示するための表示データを出力し、
情報表示部が、前記車両状態判別部により判別された車両の状態から前記情報の表示時間を決定し、前記表示時間中、前記表示データ出力部から出力された表示データにしたがって車両の外部に向けて情報を表示し、
前記情報表示部では、前記表示時間にしたがって前記情報の表示方法を切り換えることを特徴とする情報表示方法。
【発明の詳細な説明】
【技術分野】
【０００１】
この発明は、車両の外部に情報を表示する情報表示装置及び情報表示方法に関するものである。
【背景技術】
【０００２】
以下の特許文献１には、車両の外部に情報を表示する情報表示装置が開示されている。
この情報表示装置は、車両の速度などの情報を道路上に投射する投射手段を備えている。
また、この情報表示装置は、投射手段が情報を道路上に投射する際、その情報の投射に障害となる要素を検出する障害検出手段を備え、障害となる要素が存在している場合には、情報の投射位置を変更するようにしている。
【先行技術文献】
【特許文献】
【０００３】
【特許文献１】特開２００９−１６６７７１号公報（例えば、段落［０００４］［００１６］）
【発明の概要】
【発明が解決しようとする課題】
【０００４】
従来の情報表示装置は以上のように構成されているので、情報の投射に障害とならない位置に情報を投射することができる。しかし、情報の投射に障害とならない位置が、他の車両の搭乗者や歩行者などにとって、情報を見やすい位置であるとは限らない。また、障害となる要素の有無によって情報の投射方法を切り換えるものでもない。このため、情報を正しく伝えることができないことがあるという課題があった。【０００５】
この発明は上記のような課題を解決するためになされたもので、情報の伝達度を高めることができる情報表示装置及び情報表示方法を得ることを目的とする。
【課題を解決するための手段】
【０００６】
この発明に係る情報表示装置は、車両の状態を判別する車両状態判別部と、車両状態判別部により判別された車両の状態を示す情報を表示するための表示データを出力する表示データ出力部と、車両状態判別部により判別された車両の状態から情報の表示時間を決定し、その表示時間中、表示データ出力部から出力された表示データにしたがって車両の外部に向けて情報を表示する情報表示部とを備え、情報表示部が、その表示時間にしたがって情報の表示方法を切り換えるようにしたものである。
【発明の効果】
【０００７】
この発明によれば、情報表示部が、表示時間にしたがって情報の表示方法を切り換えるように構成したので、情報の伝達度を高めることができる効果がある。
【図面の簡単な説明】
【０００８】
【図１】この発明の実施の形態１による情報表示装置を示す構成図である。
【図２】この発明の実施の形態１による情報表示装置のハードウェア構成図である。
【図３】情報表示装置がソフトウェアやファームウェアなどで実現される場合のコンピュータのハードウェア構成図である。
【図４】この発明の実施の形態１による情報表示装置の処理手順である情報表示方法を示すフローチャートである。
【図５】自車両の状態及び情報の提示相手と、情報の表示時間との対応関係の一例を示すテーブル図である。
【図６】情報表示処理部１２による情報の表示例を示す説明図である。
【図７】情報表示処理部１２による情報の表示例を示す説明図である。
【図８】この発明の実施の形態２による情報表示装置を示す構成図である。
【図９】この発明の実施の形態２による情報表示装置のハードウェア構成図である。
【図１０】自車両と提示相手の相対状態と、情報の表示時間との対応関係の一例を示すテーブル図である。
【図１１】この発明の実施の形態３による情報表示装置を示す構成図である。
【図１２】この発明の実施の形態３による情報表示装置のハードウェア構成図である。
【図１３】この発明の実施の形態４による情報表示装置を示す構成図である。
【図１４】この発明の実施の形態４による情報表示装置のハードウェア構成図である。
【発明を実施するための形態】
【０００９】
以下、この発明をより詳細に説明するために、この発明を実施するための形態について、添付の図面にしたがって説明する。
【００１０】
実施の形態１．
図１はこの発明の実施の形態１による情報表示装置を示す構成図であり、図２はこの発明の実施の形態１による情報表示装置のハードウェア構成図である。
図１及び図２において、車両状態判別部１は車両情報取得部２と車両状態判別処理部３を備えており、車両の状態を判別する処理を実施する。
車両情報取得部２は例えばＣＡＮ（Ｃｏｎｔｒｏｌｌｅｒ  Ａｒｅａ  Ｎｅｔｗｏｒｋ）などの車内ネットワークに対するインタフェース機器を備える車両情報取得回路２１で実現されるものであり、車載機器から車内ネットワークを通じて、車両の状態を示す車両情報を取得する処理を実施する。
【００１１】
車両情報としては、例えば、ウインカー、ハンドル、アクセル、ブレーキやシフトレバー等の操作情報を含むＣＡＮデータのほか、カーナビゲーション装置から出力される情報、車両に搭載されている接触センサから出力される情報などが考えられる。
カーナビゲーション装置から出力される情報としては、車両の位置を示す位置情報、地図情報、車両の目的地へ至る経路を示す経路案内情報などが考えられる。
また、接触センサから出力される情報としては、例えば、ハンドル、アクセルやブレーキに対して、遊びの範囲内の操作が行われた場合の操作検知情報などが考えられる。
車両状態判別処理部３は例えば図２の車両状態判別処理回路２２で実現されるものであり、車両情報取得部２により取得された車両情報から車両の状態を判別する処理を実施する。
【００１２】
提示相手判別部４はカメラ５と提示相手認識部６を備えており、情報の提示相手を判別する処理を実施する。
カメラ５は自車両に取り付けられており、自車両の周囲を撮影して、自車両の周囲の映像を示す映像データを提示相手認識部６に出力する。
提示相手認識部６は例えば図２の提示相手認識処理回路２３で実現されるものであり、公知の物体認識処理アルゴリズムを実行することで、カメラ５から出力された映像データから、自車両の周囲に存在する物体を判別する処理を実施する。即ち、自車両の周囲に存在する物体を検出して、その物体の種類を判別することで、情報の提示相手を認識する処理を実施する。
【００１３】
表示データ出力部７は表示データ記憶部８と表示データ選択部９を備えており、車両状態判別処理部３により判別された車両の状態を示す情報を表示するための表示データを出力する処理を実施する。
表示データ記憶部８は例えば図２の表示データ記憶処理回路２４で実現されるものであり、車両の状態別に、車両の外部に提示する情報を表示するための表示データを記憶している。表示データ記憶部８に記憶されている表示データは、例えば、車両の外部に提示する情報を含むアニメーションの表示データである。
表示データ選択部９は図２の表示データ選択処理回路２５で実現されるものであり、表示データ記憶部８に記憶されている複数の表示データの中から、車両状態判別処理部３により判別された車両の状態に対応する表示データを選択する処理を実施する。
【００１４】
情報表示部１０は表示時間決定部１１と情報表示処理部１２を備えており、車両状態判別処理部３により判別された車両の状態と、提示相手認識部６により認識された提示相手とから、情報の表示時間を決定し、その決定した表示時間中、表示データ出力部７から出力された表示データにしたがって車両の外部に向けて情報を表示する処理を実施する。
表示時間決定部１１は例えば図２の表示時間決定処理回路２６で実現されるものであり、車両状態判別処理部３により判別された車両の状態と、提示相手認識部６により認識された提示相手とから、情報の表示時間を決定する処理を実施する。
【００１５】
情報表示処理部１２は例えば図２の情報表示処理回路２７で実現されるものであり、表示時間決定部１１により決定された表示時間中、表示データ出力部７から出力された表示データにしたがって車両の外部に向けて情報を表示する処理を実施する。
即ち、情報表示処理部１２は表示データ出力部７から出力された表示データにしたがって例えばレーザ光あるいはＬＥＤ（Ｌｉｇｈｔ  Ｅｍｉｔｔｉｎｇ  Ｄｉｏｄｅ）光を車両の外部の投射面に照射することで、車両の状態を示す情報を投射面に表示する光照射部１２ａを有している。
光照射部１２ａは表示時間決定部１１により決定された表示時間にしたがって投射面の切り換えを行う。
なお、光の投射面として、車両の周囲の路面、車両のボディや車両の窓などが考えられ、車両のボディや窓は、車両の外部の投射面に含まれるものとする。
【００１６】
図１では、情報表示装置の構成要素のうち、カメラ５を除く構成要素である車両情報取得部２、車両状態判別処理部３、提示相手認識部６、表示データ記憶部８、表示データ選択部９、表示時間決定部１１及び情報表示処理部１２のそれぞれが、図２に示すような専用のハードウェア、即ち、車両情報取得回路２１、車両状態判別処理回路２２、提示相手認識処理回路２３、表示データ記憶処理回路２４、表示データ選択処理回路２５、表示時間決定処理回路２６及び情報表示処理回路２７で実現されるものを想定している。
ここで、表示データ記憶処理回路２４は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）などの不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）などが該当する。
また、車両情報取得回路２１、車両状態判別処理回路２２、提示相手認識処理回路２３、表示データ選択処理回路２５、表示時間決定処理回路２６及び情報表示処理回路２７は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。
【００１７】
また、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
ソフトウェアやファームウェアはプログラムとして、コンピュータのメモリに格納される。コンピュータは、プログラムを実行するハードウェアを意味し、例えば、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）などが該当する。
図３は情報表示装置がソフトウェアやファームウェアなどで実現される場合のコンピュータのハードウェア構成図である。
情報表示装置がソフトウェアやファームウェアなどで実現される場合、表示データ記憶部８をコンピュータのメモリ４１上に構成するとともに、車両情報取得部２、車両状態判別処理部３、提示相手認識部６、表示データ選択部９、表示時間決定部１１及び情報表示処理部１２の処理手順をコンピュータに実行させるためのプログラムをメモリ４１に格納し、コンピュータのプロセッサ４２がメモリ４１に格納されているプログラムを実行するようにすればよい。
図４はこの発明の実施の形態１による情報表示装置の処理手順である情報表示方法を示すフローチャートである。
【００１８】
また、図２では情報表示装置の構成要素のそれぞれが専用のハードウェアで実現される例を示し、図３では、情報表示装置がソフトウェアやファームウェアなどで実現される例を示しているが、情報表示装置における一部の構成要素が専用のハードウェアで実現され、残りの構成要素がソフトウェアやファームウェアなどで実現されるものであってもよい。
例えば、車両情報取得部２、カメラ５及び情報表示処理部１２を専用のハードウェアで実現し、車両状態判別処理部３、提示相手認識部６、表示データ記憶部８、表示データ選択部９及び表示時間決定部１１をソフトウェアやファームウェアなどで実現することが可能である。ただし、専用のハードウェアとソフトウェア等の組み合わせは任意である。
【００１９】
次に動作について説明する。
車両状態判別部１の車両情報取得部２は、車載機器から車内ネットワークを通じて、車両の状態を示す車両情報を取得し、その車両情報を車両状態判別処理部３に出力する（図４のステップＳＴ１）。
この実施の形態１では、車両情報として、例えば、ＣＡＮデータのほか、カーナビゲーション装置から出力される情報や、車両に搭載されている接触センサから出力される情報などを取得するものとする。
【００２０】
車両状態判別処理部３は、車両情報取得部２から車両情報を受けると、その車両情報から車両の状態を判別する（ステップＳＴ２）。
車両の状態としては、例えば、車両の走行速度や、車両の進行方向がカーブしているか否かなどが考えられる。
車両の走行速度は、ＣＡＮデータに含まれている車両の速度情報から判別することができる。
また、車両の進行方向がカーブしているか否かは、ＣＡＮデータに含まれているハンドルの操作情報から判別することができる。
ここでは、車両の状態として、車両の走行速度や、車両の進行方向がカーブしているか否かを判別する例を示しているが、あくまでも一例であり、他の車両の状態を判別するようにしてもよいことは言うまでもない。
【００２１】
提示相手判別部４のカメラ５は、自車両の周囲を撮影して、自車両の周囲の映像を示す映像データを提示相手認識部６に出力する。
提示相手認識部６は、カメラ５から映像データを受けると、公知の物体認識処理アルゴリズムを実行することで、カメラ５から出力された映像データから自車両の周囲に存在する物体を判別する。
即ち、提示相手認識部６は、自車両の周囲に存在する物体を検出して、その物体の種類を判別することで、情報の提示相手を認識する（ステップＳＴ３）。
【００２２】
物体認識処理アルゴリズムは公知の技術であるため詳細な説明を省略し、提示相手認識部６による提示相手の認識処理例を簡単に説明する。
提示相手認識部６は、事前に、例えば、普通乗用車、トラック、バスなどの四輪の車両の画像、自転車やバイクなどの二輪車の画像、歩行者の画像などを参照画像として記憶している。
提示相手認識部６は、カメラ５から出力された映像データが示す映像の中から、物体の映像を切り出す処理を実施し、その切り出した物体の映像と、事前に記憶している複数の参照画像とを照合する。
そして、提示相手認識部６は、複数の参照画像の中で、その切り出した物体の映像と特徴点の類似度が最も高い参照画像を特定し、その特定した参照画像の被写体が、情報の提示相手であると認識する。
例えば、その特定した参照画像の被写体がトラックであれば、情報の提示相手がトラックであると認識し、その特定した参照画像の被写体が自転車であれば、情報の提示相手が自転車であると認識し、その特定した参照画像の被写体が歩行者であれば、情報の提示相手が歩行者であると認識する。
【００２３】
表示データ出力部７の表示データ記憶部８には、車両の状態別に、車両の外部に提示する情報を表示するための表示データが記憶されている。
この表示データは、例えば、車両の外部に提示する情報を含むアニメーションの表示データである。アニメーションの表示データは、例えば、一般的な道路法規に則するパターンや矢印のように、進行方向の方向性が伝わる動画パターンのデータである。
また、車両の外部に提示する情報としては、例えば、車両の進行方向、車両の走行モードを示す情報などが考えられるが、走行の安全に寄与する情報であれば、どのような情報でもよい。
因みに、車両の走行モードとしては、手動走行、自動走行、隊列走行などが考えられる。
【００２４】
表示データ出力部７の表示データ選択部９は、表示データ記憶部８に記憶されている複数の表示データの中から、車両状態判別処理部３により判別された車両の状態に対応する表示データを選択し、その表示データを情報表示部１０の情報表示処理部１２に出力する（ステップＳＴ４）。
【００２５】
情報表示部１０の表示時間決定部１１は、図５に示すようなテーブルを保持している。
図５は自車両の状態及び情報の提示相手と、情報の表示時間との対応関係の一例を示すテーブル図である。
情報の表示時間が“短”の場合は、情報の提示相手において、情報を確認することが可能であると思われる時間（以下、「確認可能時間」と称する）が短い場合に対応し、情報の表示時間が“長”の場合は、情報の提示相手における確認可能時間が長い場合に対応している。
例えば、自車両の速度が速い場合は、自車両が通り過ぎる時間が短いため、情報の提示相手における確認可能時間が短くなると考えられる。一方、自車両の速度が遅い場合は、自車両が通り過ぎる時間が長いため、情報の提示相手における確認可能時間が長くなると考えられる。
また、情報の提示相手が歩行者の場合は、車両の走行速度と比べて、歩行速度が遅いため、情報の提示相手における確認可能時間が長くなると考えられる。一方、情報の提示相手がトラックの場合は、安全運転のためには普通車などと比べて、より多くのものに注意を払う必要があるため、情報の提示相手における確認可能時間が短くなると考えられる。
ただし、図５のテーブルに示す対応関係は、あくまでも一例であり、他の対応関係であってもよい。
表示時間決定部１１は、図５のテーブルを参照して、車両状態判別処理部３により判別された車両の状態と、提示相手認識部６により認識された提示相手とから、情報の表示時間を決定する（図４のステップＳＴ５）。
以下、表示時間決定部１１による表示時間の決定処理の一例を具体的に説明する。
【００２６】
表示時間決定部１１は、情報の表示時間の初期値Ｔ０を記憶している。
また、表示時間決定部１１は、情報の表示時間を短縮する係数ａと、情報の表示時間を延ばす係数ｂとを記憶している。係数ａは０以上１未満の数値であり、係数ｂは１より大きい数値である。
ここでは、説明の便宜上、自車両の状態に対応する係数がａ１，ｂ１、情報の提示相手に対応する係数がａ２，ｂ２であるとして区別する。
【００２７】
図５のテーブルには、直進走行中、自車両の速度が４０ｋｍ／ｈ以上であれば、情報の表示時間を“短”、直進走行中、自車両の速度が４０ｋｍ／ｈ未満であれば、情報の表示時間を“長”とすることが示されているので、例えば、車両状態判別処理部３により判別された車両の状態が、直進走行中、走行速度が４０ｋｍ／ｈ以上であれば、係数ａ１を採用し、車両状態判別処理部３により判別された車両の状態が、直進走行中、走行速度が、４０ｋｍ／ｈ未満であれば、係数ｂ１を採用する。
車両状態判別処理部３により判別された車両の状態が、図５のテーブルに記憶されていない場合、係数ａ１、係数ｂ１のどちらも採用せずに、係数ｃ１＝１を採用する。
【００２８】
図５のテーブルには、情報の提示相手がトラックであれば、情報の表示時間を“短”、情報の提示相手が歩行者又は二輪車であれば、情報の表示時間を“長”とすることが示されているので、例えば、提示相手認識部６により認識された提示相手がトラックであれば、係数ａ２を採用し、提示相手認識部６により認識された提示相手が歩行者又は二輪車であれば、係数ｂ２を採用する。
提示相手認識部６により認識された提示相手が普通乗用車である場合など、その提示相手が図５のテーブルに記憶されていない場合、係数ａ２、係数ｂ２のどちらも採用せずに、係数ｃ２＝１を採用する。
【００２９】
表示時間決定部１１は、下記の式（１）〜（９）に示すように、情報の表示時間の初期値Ｔ０と、採用した係数とを用いて、情報の表示時間Ｔを決定する。
［ａ１、ａ２を採用した場合］    Ｔ＝Ｔ０×ａ１×ａ２  （１）
［ａ１、ｂ２を採用した場合］    Ｔ＝Ｔ０×ａ１×ｂ２  （２）
［ａ１、ｃ２を採用した場合］    Ｔ＝Ｔ０×ａ１×ｃ２  （３）
［ｂ１、ａ２を採用した場合］    Ｔ＝Ｔ０×ｂ１×ａ２  （４）
［ｂ１、ｂ２を採用した場合］    Ｔ＝Ｔ０×ｂ１×ｂ２  （５）
［ｂ１、ｃ２を採用した場合］    Ｔ＝Ｔ０×ｂ１×ｃ２  （６）
［ｃ１、ａ２を採用した場合］    Ｔ＝Ｔ０×ｃ１×ａ２  （７）
［ｃ１、ｂ２を採用した場合］    Ｔ＝Ｔ０×ｃ１×ｂ２  （８）
［ｃ１、ｃ２を採用した場合］    Ｔ＝Ｔ０×ｃ１×ｃ２  （９）
【００３０】
情報表示部１０の情報表示処理部１２は、表示時間決定部１１が情報の表示時間Ｔを決定すると、その表示時間Ｔの間、表示データ出力部７から出力された表示データにしたがって車両の外部に向けて情報を表示する（図４のステップＳＴ６）。
即ち、情報表示処理部１２の光照射部１２ａは、その表示時間Ｔの間、表示データ出力部７から出力された表示データにしたがって例えばレーザ光あるいはＬＥＤ光を車両の外部の投射面に照射することで、車両の状態を示す情報を投射面に表示する。
また、光照射部１２ａは、表示時間決定部１１により決定された表示時間Ｔにしたがって投射面の切り換えを行う。
以下、光照射部１２ａが投射面を切り換えることによる表示方法の切り換え例を具体的に説明する。あくまでも一例であり、他の方法で表示方法を切り換えるものであってもよい。
【００３１】
例えば、情報表示処理部１２は、事前に設定されている閾値Ｔｈ１，Ｔｈ２（ただし、Ｔｈ１＜Ｔｈ２）と、表示時間決定部１１により決定された表示時間Ｔとを比較し、表示時間Ｔが閾値Ｔｈ２以上であれば（Ｔ≧Ｔｈ２の場合）、情報の投射面として、車両の周囲の路面を選択し、光照射部１２ａが、光を車両の周囲の路面に照射する。
また、情報表示処理部１２は、表示時間Ｔが閾値Ｔｈ１以上であるが、閾値Ｔｈ２未満であれば（Ｔｈ１≦Ｔ＜Ｔｈ２の場合）、情報の投射面として、路面より見易い車両のボディを選択し、光照射部１２ａが、光を車両のボディに照射する。
また、情報表示処理部１２は、表示時間Ｔが閾値Ｔｈ１未満であれば（Ｔ＜Ｔｈ１の場合）、情報の投射面として、車両のボディより見易い車両の窓を選択し、光照射部１２ａが、光を車両の窓に照射する。
【００３２】
図６及び図７は情報表示処理部１２による情報の表示例を示す説明図である。
図６及び図７では、光を車両の周囲の路面に照射している例を示している。図６及び図７では、説明の簡単化のため、提示する情報が三角形状の記号である例を示している。
図６では、自車両の速度が速い場合と自車両の速度が遅い場合の例を示しており、自車両の速度に応じて照射位置を切り換えている。
即ち、情報表示処理部１２の光照射部１２ａは、自車両の速度が速ければ、自車両から遠い位置の路面に光を照射し、自車両の速度が遅れければ、自車両から近い位置の路面に光を照射している。
図７では、道路が直線の場合とカーブの場合と坂道の場合の例を示しており、道路の形状に応じて照射位置を切り換えている。
即ち、情報表示処理部１２の光照射部１２ａは、道路が直線の場合、自車両の後方の路面に光を照射し、道路がカーブの場合、道路のカーブに応じた方向の路面に光を照射し、道路が坂道の場合、情報の提示相手が見える位置の路面に光を照射している。
【００３３】
また、情報表示処理部１２は、例えば、情報の表示時間Ｔが初期値Ｔ０以上である場合、提示する情報であるアニメーションの速度を緩やかにするが、情報の表示時間Ｔが初期値Ｔ０未満である場合、アニメーションの速度を速くするとともに、アニメーションの表示エリアを拡大したり、点滅や色を濃くしたりすることで、情報の提示相手が、より確認し易いように表示を変更する。
【００３４】
以上で明らかなように、この実施の形態１によれば、車両の状態を判別する車両状態判別部１と、車両状態判別部１により判別された車両の状態を示す情報を表示するための表示データを出力する表示データ出力部７と、車両状態判別部１により判別された車両の状態から情報の表示時間を決定し、その表示時間中、表示データ出力部７から出力された表示データにしたがって車両の外部に向けて情報を表示する情報表示部１０とを備え、情報表示部１０が、その表示時間にしたがって情報の表示方法を切り換えるように構成したので、情報の伝達度を高めることができる効果を奏する。
【００３５】
また、この実施の形態１によれば、情報の提示相手を判別する提示相手判別部４を備え、情報表示部１０が、車両状態判別部１により判別された車両の状態と、提示相手判別部４により判別された提示相手とから、情報の表示時間を決定するように構成したので、情報の提示相手に応じた情報の表示時間を決定することができる効果を奏する。
【００３６】
この実施の形態１では、提示相手認識部６が情報の提示相手として、歩行者を認識することがある例を示しているが、カメラ５から出力された映像データから歩行者の概略の身長を測定し、その歩行者の身長が基準値以上であるか否かを判定するようにしてもよい。映像データから歩行者の概略の身長を測定する処理自体は公知の技術であるため詳細な説明を省略する。基準値としては、例えば、１２５ｃｍなどが考えられる。
この場合、表示時間決定部１１に保持されているテーブルには、例えば、歩行者の身長が基準値以上であれば、情報の表示時間を“長”、歩行者の身長が基準値未満であれば、情報の表示時間を“短”とすることが示される。
【００３７】
また、カメラ５から出力された映像データから歩行者の視線を検知し、歩行者の視線が自車両の方向を向いているか否かを判定するようにしてもよい。
また、カメラ５から出力された映像データから歩行者が携帯電話やスマートフォンなどを操作しているか否かを判定するようにしてもよい。これらの判定技術も公知の技術であるため詳細な説明を省略する。
表示時間決定部１１に保持されているテーブルには、例えば、歩行者の視線が自車両の方向を向いていない場合や、歩行者が携帯電話やスマートフォンなどを操作している場合、情報の表示時間を“短”、歩行者の視線が自車両の方向を向いている場合や、歩行者が携帯電話やスマートフォンなどを操作していない場合、情報の表示時間を“長”とすることが示される。
【００３８】
この実施の形態１では、情報表示処理部１２の光照射部１２ａが、レーザ光あるいはＬＥＤ光を投射面に照射するものを示したが、表示時間決定部１１により決定された表示時間Ｔにしたがって投射面に照射する光の種類を変更するようにしてもよい。
例えば、情報の表示時間Ｔが初期値Ｔ０未満である場合、レーザ光を投射面に照射し、情報の表示時間Ｔが初期値Ｔ０以上である場合、情報の見易さより安全性を重視して、ＬＥＤ光を投射面に照射するようにする。
【００３９】
実施の形態２．
上記実施の形態１では、表示時間決定部１１が、車両状態判別処理部３により判別された車両の状態と、提示相手認識部６により認識された提示相手とから、情報の表示時間Ｔを決定するものを示したが、自車両と提示相手との相対的な状態から、情報の表示時間Ｔを決定するようにしてもよい。
【００４０】
図８はこの発明の実施の形態２による情報表示装置を示す構成図であり、図９はこの発明の実施の形態２による情報表示装置のハードウェア構成図である。
図８及び図９において、図１及び図２と同一符号は同一または相当部分を示すので説明を省略する。
相対状態検出部１３は例えばカメラ５、提示相手認識部６、レーザ光送受信器１４及び相対状態検出処理部１５を備えており、自車両と情報の提示相手との相対状態を検出する処理を実施する。
レーザ光送受信器１４は情報の提示相手に向けてレーザ光を送信し、その後、情報の提示相手に反射されて戻ってきたレーザ光を受信する。
相対状態検出処理部１５は例えばＣＰＵを実装している半導体集積回路、あるいは、ワンチップマイコンなどから構成されている図９の相対状態検出処理回路２８で実現されている。
相対状態検出処理部１５は自車両と情報の提示相手との相対状態として、提示相手認識部６により切り出された提示相手の映像から、提示相手の進行方向を検出する処理を実施する。
また、相対状態検出処理部１５は自車両と提示相手との相対状態として、レーザ光送受信器１４からレーザ光が送信されてから、レーザ光送受信器１４によりレーザ光が受信されるまでの時間から、自車両と情報の提示相手との相対速度を算出する処理を実施する。
【００４１】
表示時間決定部１６は例えば図９の表示時間決定処理回路２６で実現されるものであり、図１の表示時間決定部１１と同様に、車両状態判別処理部３により判別された車両の状態と、提示相手認識部６により認識された提示相手とから、情報の表示時間を決定する処理を実施する。
ただし、表示時間決定部１６は情報の表示時間を決定する際、図１の表示時間決定部１１と異なり、相対状態検出処理部１５により検出された相対状態を考慮して決定する。
【００４２】
図８では、情報表示装置の構成要素のうち、カメラ５及びレーザ光送受信器１４を除く構成要素である車両情報取得部２、車両状態判別処理部３、提示相手認識部６、相対状態検出処理部１５、表示データ記憶部８、表示データ選択部９、表示時間決定部１６及び情報表示処理部１２のそれぞれが、図９に示すような専用のハードウェア、即ち、車両情報取得回路２１、車両状態判別処理回路２２、提示相手認識処理回路２３、相対状態検出処理回路２８、表示データ記憶処理回路２４、表示データ選択処理回路２５、表示時間決定処理回路２６及び情報表示処理回路２７で実現されるものを想定している。
ただし、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
情報表示装置がソフトウェアやファームウェアなどで実現される場合、表示データ記憶部８を図３に示すコンピュータのメモリ４１上に構成するとともに、車両情報取得部２、車両状態判別処理部３、提示相手認識部６、相対状態検出処理部１５、表示データ選択部９、表示時間決定部１６及び情報表示処理部１２の処理手順をコンピュータに実行させるためのプログラムをメモリ４１に格納し、コンピュータのプロセッサ４２がメモリ４１に格納されているプログラムを実行するようにすればよい。
【００４３】
次に動作について説明する。
相対状態検出部１３及び表示時間決定部１６以外は、上記実施の形態１と同様であるため、ここでは、相対状態検出部１３及び表示時間決定部１６の処理内容を説明する。
相対状態検出部１３のレーザ光送受信器１４は、情報の提示相手に向けてレーザ光を送信し、その後、情報の提示相手に反射されて戻ってきたレーザ光を受信する。ここでは、レーザ光送受信器１４がレーザ光を送受信する例を示しているが、レーザ光に限るものではなく、例えば、赤外線などを送受信するようにしてもよい。
【００４４】
相対状態検出部１３の相対状態検出処理部１５は、提示相手認識部６が上記実施の形態１と同様に、カメラ５から出力された映像データから情報の提示相手の映像を切り出すと、自車両と情報の提示相手との相対状態として、その提示相手の映像から提示相手の進行方向を検出する。
即ち、相対状態検出処理部１５は、情報の提示相手と自車両が同方向に走行しているのか、逆方向に走行しているのかを判別する。
提示相手の進行方向を検出する処理自体は公知の技術であるため詳細な説明を省略するが、提示相手の映像が、車両の前方の映像であれば、逆方向に走行していると判断することができ、提示相手の映像が、車両の後方の映像であれば、同方向に走行していると判断することができる。
【００４５】
また、相対状態検出処理部１５は、自車両と提示相手との相対状態として、レーザ光送受信器１４からレーザ光が送信されてから、レーザ光送受信器１４によりレーザ光が受信されるまでの時間から、自車両と情報の提示相手との相対速度を算出する。レーザ光の速度は既知であるため、レーザ光の送信時刻と受信時刻の時刻差から、自車両と情報の提示相手との相対速度を算出することができる。
【００４６】
情報表示部１０の表示時間決定部１６は、図５に示すテーブルのほかに、図１０に示すようなテーブルを保持している。
図１０は自車両と提示相手の相対状態と、情報の表示時間との対応関係の一例を示すテーブル図である。
例えば、情報の提示相手と自車両が逆方向に走行している場合は、自車両が通り過ぎる時間が短いため、情報の提示相手における確認可能時間が短くなると考えられる。一方、情報の提示相手と自車両が同方向に走行している場合、自車両が通り過ぎる時間が長いため、情報の提示相手における確認可能時間が長くなると考えられる。
ただし、図１０のテーブルに示す対応関係は、あくまでも一例であり、他の対応関係であってもよい。
【００４７】
表示時間決定部１６は、図１の表示時間決定部１１と同様にして、車両状態判別処理部３により判別された車両の状態と、提示相手認識部６により認識された提示相手とから、情報の表示時間Ｔを決定する。
ただし、情報の表示時間を決定する際、図１の表示時間決定部１１と異なり、相対状態検出処理部１５により検出された相対状態を考慮する。
以下、表示時間決定部１６による表示時間の決定処理の一例を具体的に説明する。
【００４８】
表示時間決定部１６は、最初に、図１の表示時間決定部１１と同様に、車両状態判別処理部３により判別された車両の状態と、提示相手認識部６により認識された提示相手とから、情報の表示時間Ｔを決定する。
その後、表示時間決定部１６は、相対状態検出処理部１５により検出された相対状態に応じて、その決定した表示時間Ｔを補正する。具体的には、以下の通りである。
【００４９】
表示時間決定部１６は、情報の表示時間を短縮する係数ｄと、情報の表示時間を延ばす係数ｅとを記憶している。係数ｄは０以上１未満の数値であり、係数ｅは１より大きい数値である。
ここでは、説明の便宜上、自車両と提示相手の進行方向に関する係数がｄ１，ｅ１、自車両と提示相手の相対速度に関する係数がｄ２，ｄ２であるとして区別する。
【００５０】
図１０のテーブルには、自車両と提示相手の進行方向が逆方向であれば、情報の表示時間を“短”、同方向であれば、情報の表示時間を“長”とすることが示されているので、相対状態検出処理部１５により検出された進行方向が逆方向であれば、係数ｄ１を採用し、相対状態検出処理部１５により検出された進行方向が同方向であれば、係数ｅ１を採用する。
図１０のテーブルには、自車両と情報の提示相手との相対速度が５ｋｍ／ｈ以上であれば、情報の表示時間を“短”、自車両と情報の提示相手との相対速度が５ｋｍ／ｈ未満であれば、情報の表示時間を“長”とすることが示されているので、相対状態検出処理部１５により検出された相対速度が５ｋｍ／ｈ以上であれば、係数ｄ２を採用し、相対状態検出処理部１５により検出された相対速度が５ｋｍ／ｈ未満であれば、係数ｅ２を採用する。
【００５１】
表示時間決定部１１は、下記の式（１０）〜（１３）に示すように、先に決定した表示時間Ｔと、採用した係数とを用いて、情報の表示時間Ｔを補正する。補正後の表示時間Ｔ’とする。
［ｄ１、ｄ２を採用した場合］    Ｔ’＝Ｔ×ｄ１×ｄ２  （１０）
［ｄ１、ｅ２を採用した場合］    Ｔ’＝Ｔ×ｄ１×ｅ２  （１１）
［ｅ１、ｄ２を採用した場合］    Ｔ’＝Ｔ×ｅ１×ｄ２  （１２）
［ｅ１、ｅ２を採用した場合］    Ｔ’＝Ｔ×ｅ１×ｅ２  （１３）
【００５２】
以上で明らかなように、この実施の形態２によれば、自車両と情報の提示相手との相対状態を検出する相対状態検出処理部１５を備え、情報表示部１０が、相対状態検出処理部１５により検出された相対状態を用いて、決定した表示時間を補正するように構成したので、上記実施の形態１よりも、情報の表示時間の適正化を図ることができる効果を奏する。
【００５３】
この実施の形態２では、表示時間決定部１６が、車両状態判別処理部３により判別された車両の状態と、提示相手認識部６により認識された提示相手とから、情報の表示時間Ｔを決定したのち、相対状態検出処理部１５により検出された相対状態を考慮して、その表示時間Ｔを補正する例を示しているが、車両状態判別処理部３により判別された車両の状態と、提示相手認識部６により認識された提示相手とから、情報の表示時間Ｔを決定せずに、相対状態検出処理部１５により検出された相対状態から、情報の表示時間Ｔを決定するようにしてもよい。
この場合、表示時間決定部１６では、相対状態検出部１３により検出された相対状態を車両の状態と同様に扱うため、表示時間決定部１６が表示時間を決定する上では車両状態判別部１が不要になる。
また、このとき、表示データ選択部９が、車両状態判別処理部３により判別された車両の状態として、相対状態検出部１３により検出された相対状態を使用し、その相対状態に対応する表示データを選択するものとすれば、車両状態判別部１が不要になる。
【００５４】
ここでは、相対状態検出処理部１５が、自車両と提示相手との相対状態として、自車両と提示相手の進行方向や相対速度を検出するものを示したが、例えば、相対距離を検出するようにしてもよい。
例えば、相対状態検出処理部１５が、相対距離を検出する場合、情報表示処理部１２では、相対距離が大きければ、例えば、自車両の周辺の危険ゾーンの路面に情報を表示することで、情報の提示相手に危険ゾーンを認識させることができる。また、相対距離が小さければ、車両のボディや窓などに情報を表示することで、車両から眼を離さないように情報の提示相手を誘導することができる。
【００５５】
実施の形態３．
上記実施の形態１，２では、情報表示部１０の情報表示処理部１２が、表示データにしたがって車両の外部に向けて情報を表示するものを示したが、この実施の形態３では、車両の周辺の状況を監視し、状況の監視結果にしたがって情報表示処理部１２における情報の表示を制御するものについて説明する。
【００５６】
図１１はこの発明の実施の形態３による情報表示装置を示す構成図であり、図１２はこの発明の実施の形態３による情報表示装置のハードウェア構成図である。
図１１及び図１２において、図１、図２、図８及び図９と同一符号は同一または相当部分を示すので説明を省略する。
周辺状況監視部１７は例えばＣＰＵを実装している半導体集積回路、あるいは、ワンチップマイコンなどから構成されている図１２の監視処理回路２９で実現されるものであり、カメラ５から出力された映像データによって車両の周辺の状況を監視し、車両の周辺の状況の監視結果にしたがって情報表示処理部１２における情報の表示を制御する処理を実施する。
【００５７】
図１１では、情報表示装置の構成要素のうち、カメラ５及びレーザ光送受信器１４を除く構成要素である車両情報取得部２、車両状態判別処理部３、提示相手認識部６、相対状態検出処理部１５、表示データ記憶部８、表示データ選択部９、周辺状況監視部１７、表示時間決定部１６及び情報表示処理部１２のそれぞれが、図１２に示すような専用のハードウェア、即ち、車両情報取得回路２１、車両状態判別処理回路２２、提示相手認識処理回路２３、相対状態検出処理回路２８、表示データ記憶処理回路２４、表示データ選択処理回路２５、監視処理回路２９、表示時間決定処理回路２６及び情報表示処理回路２７で実現されるものを想定している。
ただし、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
情報表示装置がソフトウェアやファームウェアなどで実現される場合、表示データ記憶部８を図３に示すコンピュータのメモリ４１上に構成するとともに、車両情報取得部２、車両状態判別処理部３、提示相手認識部６、相対状態検出処理部１５、表示データ選択部９、周辺状況監視部１７、表示時間決定部１６及び情報表示処理部１２の処理手順をコンピュータに実行させるためのプログラムをメモリ４１に格納し、コンピュータのプロセッサ４２がメモリ４１に格納されているプログラムを実行するようにすればよい。
【００５８】
次に動作について説明する。
ただし、周辺状況監視部１７以外は、上記実施の形態１，２と同様であるため、ここでは、周辺状況監視部１７の処理内容を説明する。
周辺状況監視部１７は、カメラ５から出力された映像データによって車両の周辺の状況を監視する。
周辺状況監視部１７は、公知の物体認識処理アルゴリズムを実行することで、カメラの映像データから、映像内に存在している他の車両や歩行者などを検出する。
【００５９】
周辺状況監視部１７は、自車両の周辺、例えば、車両の前方、側方、側前方、側後方、後方に、他の車両や歩行者などが存在していれば、情報表示処理部１２に対して、表示データにしたがって情報を表示する処理の実行を許可する。
周辺状況監視部１７は、自車両の周辺に他の車両や歩行者などが存在していなければ、情報表示処理部１２に対して、情報を表示する処理の実行を停止させる。
これにより、自車両の周辺に他の車両や歩行者などが存在しない場合など、情報の提示相手が存在しない場合には、無駄な情報の表示を止めることができる。
【００６０】
実施の形態４．
上記実施の形態１〜３では、情報表示部１０の情報表示処理部１２が、表示データにしたがって車両の外部に向けて情報を表示するものを示したが、この実施の形態４では、車両状態判別部１により判別された車両の状態にしたがって表示データ出力部７から出力された表示データを加工し、加工後の表示データにしたがって車両の外部に向けて情報を表示するものについて説明する。
【００６１】
図１３はこの発明の実施の形態４による情報表示装置を示す構成図であり、図１４はこの発明の実施の形態４による情報表示装置のハードウェア構成図である。
図１３及び図１４において、図１、図２、図８、図９、図１１及び図１２と同一符号は同一または相当部分を示すので説明を省略する。
表示データ加工部１８は例えばＣＰＵを実装している半導体集積回路、あるいは、ワンチップマイコンなどから構成されている図１４の表示データ加工処理回路３０で実現されるものであり、車両情報取得部２により取得された車両情報、あるいは、車両状態判別処理部３により判別された車両の状態にしたがって表示データ選択部９により選択された表示データを加工し、加工後の表示データを情報表示部１０の情報表示処理部１２に出力する処理を実施する。
【００６２】
図１３では、情報表示装置の構成要素のうち、カメラ５及びレーザ光送受信器１４を除く構成要素である車両情報取得部２、車両状態判別処理部３、提示相手認識部６、相対状態検出処理部１５、表示データ記憶部８、表示データ選択部９、周辺状況監視部１７、表示データ加工部１８、表示時間決定部１６及び情報表示処理部１２のそれぞれが、図１４に示すような専用のハードウェア、即ち、車両情報取得回路２１、車両状態判別処理回路２２、提示相手認識処理回路２３、相対状態検出処理回路２８、表示データ記憶処理回路２４、表示データ選択処理回路２５、監視処理回路２９、表示データ加工処理回路３０、表示時間決定処理回路２６及び情報表示処理回路２７で実現されるものを想定している。
ただし、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
情報表示装置がソフトウェアやファームウェアなどで実現される場合、表示データ記憶部８を図３に示すコンピュータのメモリ４１上に構成するとともに、車両情報取得部２、車両状態判別処理部３、提示相手認識部６、相対状態検出処理部１５、表示データ選択部９、周辺状況監視部１７、表示データ加工部１８、表示時間決定部１６及び情報表示処理部１２の処理手順をコンピュータに実行させるためのプログラムをメモリ４１に格納し、コンピュータのプロセッサ４２がメモリ４１に格納されているプログラムを実行するようにすればよい。
【００６３】
次に動作について説明する。
ただし、表示データ加工部１８以外は、上記実施の形態１と同様であるため、ここでは、表示データ加工部１８の処理内容を主に説明する。
表示データ加工部１８は、表示データ選択部９から表示データを受けると、車両情報取得部２により取得された車両情報、あるいは、車両状態判別処理部３により判別された車両の状態にしたがって当該表示データを加工し、加工後の表示データを情報表示部１０の情報表示処理部１２に出力する。
【００６４】
即ち、表示データ加工部１８は、例えば、車両情報取得部２により取得された車両情報に含まれている車両の速度に応じて表示データを加工する。
具体的には、例えば、車両の速度が速い程、路面に照射する光の範囲を拡大するように表示データを加工することで、広範囲に情報を表示して、高速で走行している場合の視認性を高める。
また、車両の速度が速い程、例えば、アニメーションの再生速度を速くするように表示データを加工することで、車両の速度感を伝えるようにする。
【００６５】
また、表示データ加工部１８は、車両状態判別処理部３により判別された車両の状態にしたがって表示データを加工する。
具体的には、例えば、車両が路上駐車から発進する状態である場合、車両の発進合図を示す記号などの表示位置が変わるように表示データを加工することで、直感的に車両が発進することが分かるようにする。例えば、車両の発進合図を示す記号の表示位置を、車両の右側方の路面→右側やや前方の路面→右側前方の路面→・・・→右側方の路面→右側やや前方の路面→右側前方の路面のように変化させる。
【００６６】
情報表示部１０の情報表示処理部１２は、表示データ加工部１８から加工後の表示データを受けると、上記実施の形態１と同様に、その表示データにしたがって車両の外部に向けて情報を表示する。
【００６７】
以上で明らかなように、この実施の形態４によれば、車両情報取得部２により取得された車両情報、あるいは、車両状態判別処理部３により判別された車両の状態にしたがって表示データ選択部９により選択された表示データを加工する表示データ加工部１８を設け、情報表示部１０が、表示データ加工部１８により加工された表示データにしたがって車両の外部に向けて情報を表示するように構成したので、上記実施の形態１と同様に効果が得られるほかに、車両の状態に応じて情報の視認性を高めることができる効果が得られる。
【００６８】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６９】
この発明に係る情報表示装置及び情報表示方法は、車両の外部に情報を表示する用途に適している。
【符号の説明】
【００７０】
１  車両状態判別部、２  車両情報取得部、３  車両状態判別処理部、４  提示相手判別部、５  カメラ、６  提示相手認識部、７  表示データ出力部、８  表示データ記憶部、９  表示データ選択部、１０  情報表示部、１１，１６  表示時間決定部、１２  情報表示処理部、１２ａ  光照射部、１３  相対状態検出部、１４  レーザ光送受信器、１５  相対状態検出処理部、１７  周辺状況監視部、１８  表示データ加工部、２１  車両情報取得回路、２２  車両状態判別処理回路、２３  提示相手認識処理回路、２４  表示データ記憶処理回路、２５  表示データ選択処理回路、２６  表示時間決定処理回路、２７  情報表示処理回路、２８  相対状態検出処理回路、２９  監視処理回路、３０  表示データ加工処理回路、４１  メモリ、４２  プロセッサ。
【図１】
2017138148.tif 000003
【図２】
2017138148.tif 000004
【図３】
2017138148.tif 000005
【図４】
2017138148.tif 000006
【図５】
2017138148.tif 000007
【図６】
2017138148.tif 000008
【図７】
2017138148.tif 000009
【図８】
2017138148.tif 000010
【図９】
2017138148.tif 000011
【図１０】
2017138148.tif 000012
【図１１】
2017138148.tif 000013
【図１２】
2017138148.tif 000014
【図１３】
2017138148.tif 000015
【図１４】
2017138148.tif 000016
【手続補正書】
【提出日】平成30年1月18日(2018.1.18)
【手続補正１】
【補正対象書類名】明細書
【補正対象項目名】０００６
【補正方法】変更
【補正の内容】
【０００６】
この発明に係る情報表示装置は、車両の状態を判別する車両状態判別部と、車両状態判別部により判別された車両の状態を示す情報を表示するための表示データを出力する表示データ出力部と、情報の提示相手を判別する提示相手判別部と、車両状態判別部により判別された車両の状態と、提示相手判別部により判別された提示相手とから、情報の表示時間を決定し、その表示時間中、表示データ出力部から出力された表示データにしたがって車両の外部に向けて情報を表示する情報表示部とを備え、情報表示部が、その表示時間にしたがって情報の表示方法を切り換えるようにしたものである。
【手続補正２】
【補正対象書類名】特許請求の範囲
【補正対象項目名】全文
【補正方法】変更
【補正の内容】
【特許請求の範囲】
【請求項１】
車両の状態を判別する車両状態判別部と、
前記車両状態判別部により判別された車両の状態を示す情報を表示するための表示データを出力する表示データ出力部と、
前記情報の提示相手を判別する提示相手判別部と、
前記車両状態判別部により判別された車両の状態と、前記提示相手判別部により判別された提示相手とから、前記情報の表示時間を決定し、前記表示時間中、前記表示データ出力部から出力された表示データにしたがって車両の外部に向けて情報を表示する情報表示部とを備え、
前記情報表示部は、前記表示時間にしたがって前記情報の表示方法を切り換えることを特徴とする情報表示装置。
【請求項２】
自車両と前記情報の提示相手との相対状態を検出する相対状態検出部を備え、
前記情報表示部は、前記相対状態検出部により検出された相対状態を用いて、前記表示時間を補正することを特徴とする請求項１記載の情報表示装置。
【請求項３】
前記車両状態判別部は、前記車両の状態として、自車両と前記情報の提示相手との相対状態を判別することを特徴とする請求項１記載の情報表示装置。
【請求項４】
車両の状態を判別する車両状態判別部と、
前記車両状態判別部により判別された車両の状態を示す情報を表示するための表示データを出力する表示データ出力部と、
前記車両状態判別部により判別された車両の状態から前記情報の表示時間を決定し、前記表示時間中、前記表示データ出力部から出力された表示データにしたがって車両の外部に向けて情報を表示する情報表示部とを備え、
前記情報表示部は、前記表示データ出力部から出力された表示データにしたがって光を前記車両の外部の投射面に照射することで、前記車両の状態を示す情報を前記投射面に表示する光照射部を有しており、
前記光照射部は、前記表示時間にしたがって前記投射面及び前記投射面に照射する光の種類のうち、少なくとも一方を切り換えることを特徴とする情報表示装置。
【請求項５】
前記車両の周辺の状況を監視し、前記状況の監視結果にしたがって前記情報表示部における情報の表示を制御する周辺状況監視部を備えたことを特徴とする請求項１記載の情報表示装置。
【請求項６】
前記車両の状態にしたがって前記表示データ出力部から出力された表示データを加工する表示データ加工部を備え、
前記情報表示部は、前記表示データ加工部により加工された表示データにしたがって車両の外部に向けて情報を表示することを特徴とする請求項１記載の情報表示装置。
【請求項７】
車両状態判別部が、車両の状態を判別し、
表示データ出力部が、前記車両状態判別部により判別された車両の状態を示す情報を表示するための表示データを出力し、
提示相手判別部が、前記情報の提示相手を判別し、
情報表示部が、前記車両状態判別部により判別された車両の状態と、前記提示相手判別部により判別された提示相手とから、前記情報の表示時間を決定し、前記表示時間中、前記表示データ出力部から出力された表示データにしたがって車両の外部に向けて情報を表示し、
前記情報表示部では、前記表示時間にしたがって前記情報の表示方法を切り換えることを特徴とする情報表示方法。
【請求項８】
車両状態判別部が、車両の状態を判別し、
表示データ出力部が、前記車両状態判別部により判別された車両の状態を示す情報を表示するための表示データを出力し、
情報表示部が、前記車両状態判別部により判別された車両の状態から前記情報の表示時間を決定し、前記表示時間中、前記表示データ出力部から出力された表示データにしたがって車両の外部に向けて情報を表示し、
前記情報表示部は、前記表示データ出力部から出力された表示データにしたがって光を前記車両の外部の投射面に照射することで、前記車両の状態を示す情報を前記投射面に表示する光照射部を有しており、
前記光照射部が、前記表示時間にしたがって前記投射面及び前記投射面に照射する光の種類のうち、少なくとも一方を切り換えることを特徴とする情報表示方法。
【国際調査報告】
2017138148.tif 000017
2017138148.tif 000018